(57)【要約】      （修正有）【課題】筐体の前面にタッチパネルが配置される、持ち運び時や測定時においても、誤って測定を開始してしまうことがなく、確実な測定操作を行うことができる可搬型測定器を提供する。【解決手段】測定条件を表示および設定する測定条件設定操作部と、該測定条件設定操作部により設定された条件の測定を開始操作する測定開始操作部とを備えた可搬型の測定機器本体１００である。前記測定条件設定操作部は、測定条件を表示するとともに、表示部分で使用者の操作を受けるタッチパネルで構成する一方、前記測定開始操作部は、操作時に押圧される押圧部品配置スペースで使用者の操作を受ける押釦スイッチを用いて構成した。【選択図】図１
2017068716.tif 000002
【特許請求の範囲】
【請求項１】
測定条件を表示および設定する測定条件設定操作部と、
該測定条件設定操作部により設定された条件の測定を開始操作する測定開始操作部と、を備えた測定器であって、
前記測定条件設定操作部は、測定条件を表示するとともに、表示部分で使用者の操作を受けるタッチパネルで構成される一方、
前記測定開始操作部は、操作時に押圧される押圧部品配置スペースで使用者の操作を受ける押釦スイッチで構成されることを特徴とする測定器。
【請求項２】
請求項１記載の測定器であって、
前記測定条件設定操作部及び前記測定開始操作部が前面側から操作可能に配置された筐体を備え、
前記測定開始操作部の押圧部は、
前記タッチパネルの左側において、前記筐体の外部に露出するように配置されて、
該筐体外部からの測定開始操作が可能に構成されていることを特徴とする測定器。
【請求項３】
請求項１記載の測定器であって、
前記測定開始操作部は、前記測定条件設定操作部の一部において、
タッチパネル表面に凹凸を出現又は消失させることにより形成されることを特徴とする測定器。
【発明の詳細な説明】
【技術分野】
【０００１】
本発明は、可搬型の測定器に関する。特に、測定器本体に、測定条件を設定する測定条件設定操作部と、測定を開始する測定開始操作部とが設けられた測定器に関するものである。
【背景技術】
【０００２】
昨今、電子機器の小型化、性能向上が著しい。携帯電話やスマートフォンに代表されるように、手持ちが可能なサイズでありながらパーソナルコンピュータと同等な性能を有するものが登場してきている。同様に、測定機器においても、性能を維持しつつ小型化が進んできており、オシロスコープをはじめ、電路における地絡を検出する装置や、テスターに代表されるマルチメーター（回路計）も機動性に優れた測定機器が増加している。
【０００３】
このような測定機器には、各種の測定情報が、測定機器の外部から視認可能になるように表示パネルが備えられている。表示パネルは、本体の小型化と相まって、限られた表示面積のなかで、測定に必要な情報を表示する必要がある。また、測定に必要な操作を受け付けるために、タッチパネルを採用する場合がある。測定に必要な情報の表示に加えて、測定情報を入力することが可能になるため、本体の小型化が進むにつれて、多種の情報表示機能と測定操作機能とを集約させるために、タッチパネルが採用されることが多い。
【０００４】
機器の手持ちや可搬が可能になると、該機器を利用し得る場所の自由度が増加する。即ち、必然的に機器を持ち歩く頻度が高くなる。このような状況下では、機器を持ち歩いたり運んでいる際に、タッチパネルに接触してしまい誤操作を引き起こしたり、ついうっかりして機器を落としてしまうことが想定される。
【０００５】
なお、スマートフォンに代表されるような、筐体の前面に広範囲にタッチパネルが配置される機器にあっては、当該タッチパネルに近接して押釦式の操作用の押釦が設けられていることが多い。この押釦は、通常スマートフォンなどの動作状態を待機状態にリセットするか、または、スマートフォンの電源を入切する機能を兼ね備えているものであり、当該押釦を押圧操作してしまっても、誤って通話が開始されたり、誤ってメールを送信してしまう、という誤操作が引き起こされることはない。
【先行技術文献】
【特許文献】
【０００６】
【特許文献１】特開２０１３−７３５９２号公報
【発明の開示】
【発明が解決しようとする課題】
【０００７】
本発明は上記の事情に鑑み、筐体の前面にタッチパネルが配置される可搬型の測定器において、機器の持ち運び時や測定時においても、誤って測定を開始してしまうことがなく、確実な測定操作を行うことができる測定器を提供することを目的とする。
【課題を解決するための手段】
【０００８】
本発明に係る可搬型の測定器は、上記課題を解決すべく構成されたもので、測定条件を表示および設定する測定条件設定操作部と、該測定条件設定操作部により設定された条件の測定を開始操作する測定開始操作部と、を備えた測定器であって、前記測定条件設定操作部は、測定条件を表示するとともに、表示部分で使用者の操作を受けるタッチパネルで構成される一方、前記測定開始操作部は、操作時に押圧される押圧部で使用者の操作を受ける押釦スイッチで構成されることを特徴とするものである。
【０００９】
かかる構成によれば、
測定条件設定操作部をタッチパネルで構成する一方、測定開始操作部を押圧部を備えた押釦式スイッチで分離して構成したため、測定器の持ち運び時や測定時において、タッチパネルに接触することによって誤って測定が開始されることなく、押釦スイッチを押圧したときにのみ確実に測定を開始することができる。
【００１０】
また、本発明に係る可搬型の測定器は、前記測定条件設定操作部及び前記測定開始操作部が前面側から操作可能に配置された筐体を備えて、前記測定開始操作部の押圧部は、前記タッチパネルの左側において、前記筐体の外部に露出するように配置されて、該筐体外部からの測定開始操作が可能となるように構成してもよい。
【００１１】
かかる構成によれば、測定開始操作部の押圧部を、タッチパネルの左側に筐体の外部に露出するように配置したから、
測定器本体を保持する手と、測定器によって測定される測定対象物のほうの操作を行う手を使い分けることができ、例えば、右手によって測定対象物を操作し、左手によって測定器本体の保持と測定開始の操作を行うことができる。
【００１２】
また、本発明に係る可搬型の測定器は、前記測定開始操作部は、前記測定条件設定操作部の一部において、タッチパネル表面に凹凸を出現又は消失させることにより形成される押釦であることを特徴として構成してもよい。
【００１３】
かかる構成によれば、
タッチパネルに表示される表示部分で使用者の操作を受ける場合と比較して
タッチパネル表面に凹凸を出現又は消失させることにより形成される押釦を用いて使用者の操作を受けるから、タッチパネルに誤って接触することによってタッチパネルが反応してしまい測定が開始されることがなく、タッチパネル上に形成された凹凸のある押釦スイッチを押圧したときにのみ確実に測定を開始することができる。
【発明の効果】
【００１４】
以上の如く、本発明は、筐体の前面にタッチパネルが配置される可搬型の測定機器において、機器の持ち運び時や測定時においても、誤って測定を開始してしまうことがなく、確実な測定操作を行うことができる。
【図面の簡単な説明】
【００１５】
【図１】第一の実施の形態に係わる可搬型の測定機器のブロック図
【図２】第一の実施の形態に係わる可搬型の測定機器の本体斜視図
【図３】表示パネルにおける情報表示例
【図４】第二の実施の形態に係わる表示パネルの図
【図５】従来の形態に示される電子機器の説明図
【発明を実施するための最良の形態】
【００１６】
以下，本発明の実施の形態について，図面を用いて説明する。
（第一の実施形態）
まず、本実施形態に係る可搬型の測定機の基本構成について、図１のブロック図を用いて説明する。
【００１７】
１００は測定器本体、１０１は測定条件を表示および設定する測定条件設定操作部たる表示パネル、１０２は測定条件設定操作部により設定された条件の測定を開始操作する測定開始操作部たる測定開始押釦スイッチである。表示パネル１０１と測定開始釦１０２とは、それぞれ、表示パネル１０１が測定条件を表示するとともにその表示部分で使用者の操作を受けるタッチパネルによって構成され、測定開始押釦スイッチ１０２が、操作時に押圧される押圧部で使用者の操作を受ける押釦スイッチによって構成される。
【００１８】
表示パネル１０１と測定開始釦１０２とは、それぞれマイコンからなる演算装置に接続されている。該演算装置は、記憶装置に記憶されたプログラム及びパラメータ値を読み出すとともに実行することにより、表示パネル１０１には各種の測定条件が表示される。実際に測定に用いる測定条件は、表示パネル１０１における測定条件の表示部分で使用者のタッチ操作を受けて、選択設定される。
【００１９】
測定条件が選択設定された状態においては、演算装置は、選択設定された測定条件の開始操作待ちとなる。ここで、演算装置に接続された測定開始押釦スイッチ１０２が押圧されて使用者の操作を受けた場合には選択設定された測定条件に基いて測定が開始される。
【００２０】
（可搬型の測定器の外観構成）
次に、本実施形態に係る可搬型の測定器の外観構成について、図２を参酌して説明する。１は可搬型の測定器である。本体１００は、直方体形状のケースと該ケースに嵌合するカバーとから構成される筐体で外郭が構成される。
【００２１】
筐体の内部には測定に必要な電子機器を収納している。例えば、測定対象となる被測定物に電気的な接触を得るためのテスタリード用の配線を接続するための接続端子１０３、接続端子１０３から入力された電気的信号を演算処理するためのマイコン、マイコンによる演算結果を表示するための表示パネル１０１、測定を開始するための測定開始押釦スイッチ１０２、その他測定に必要な電子機器を配置した電子基板等を内部に収納している。
【００２２】
また、本体１００の両側面には、弾性体（エラストマー）からなる一対の緩衝部材２０１、２０２が取着配置される。
【００２３】
本体１００の外郭を構成する筐体には、表示パネル１０１と測定開始押釦スイッチ１０２とが該筐体の前面側から操作可能に配置される。
【００２４】
ここで、測定開始押釦スイッチ１０２は、表示パネル１０１の本体１００の前面に向かって左側に外部に露出するように配置される。
【００２５】
これは、本測定器が可搬型であるが故の配置である。例えば、可搬型の測定器１は、使用者とともに測定場所に持ち運ばれて使用される。そして、測定時には、測定器本体を保持する手と、測定器によって測定される測定対象物のほうの操作を行う手を使い分けることができ、例えば、右手によって測定条件を選択設定するとともに測定対象物にプローブをあてがうなどの操作を行い、左手によって測定器本体の保持と測定開始の操作を行うことができる。
【００２６】
（表示パネルの表示例）
図３には、表示パネル１０１における測定条件の表示の一例を示している。
この一例では、可搬型の測定器１の測定対象として漏電遮断器の動作確認を示している。漏電遮断器の動作が正常に行われるか否かを確認する測定である。
【００２７】
漏電遮断器の動作確認測定としては、指定された感度電流以内で動作するか否か、また、指定された動作時間以内で動作するか否かを測定する。指定された条件内での動作を行わない場合には正常動作ではないと判断する必要がある。
【００２８】
図３に示した表示パネル１０１における表示状態では、漏電遮断器の確認動作対象を定める測定項目設定釦１０１ｃ、定格感度電流を定める感度電流設定釦１０１ａ、定格動作時間を定める動作時間設定釦１０１ｂ、詳細な設定を行う詳細ボタン１０１ｄ、定めた条件を決定する条件設定釦１０１ｅが選択可能な釦であり、また、可搬型の測定器の電池残量を示す電池残量表示１０１ｆが表示される。
【００２９】
表示パネル１０１中央部の大きな数字（１０．５ｍＡ）は漏電遮断器が動作した感度電流値を表し、中央部右寄りに縦に並んだ３つの数字は、それぞれ過去に測定した感度電流値と動作時間の履歴である。
【００３０】
（第二の実施形態）
次に、第二の実施形態について図４を用いて説明を行う。
【００３１】
図４には、図３における表示パネル１０１に、さらに、１０１ｇで示す測定開始押釦スイッチを設けた表示パネルを示している。下方の図は、表示パネルを側面からみたものであり、表示パネルの前面側に隆起した測定開始押釦スイッチ１０１ｇを形成している。
【００３２】
測定開始押釦スイッチ１０１ｇは、タッチパネルの表面に凹凸を形成させることにより操作用の押釦を構成したものであり、この凹凸を出現又は消失させることで、測定開始操作待ちになったことを使用者が認識できるものである。
【００３３】
表示パネル１０１上の凹凸は、タッチパネル上に物理的に凹凸を形成するための手段として、タッチパネル内面に液体が流れるよう形成されたチャネルに所定時に液体注入装置によって液体を注入し液体が注入された部分が圧力で膨張して前面側に凸状に隆起する一方、液体除去装置によって液体を除去し液体が除去された部分が負圧で収縮して前面側からみて凹状にへこむものである。チャネルを押釦上に形成することにより液体の注入、除去の加減により、図４で示したような測定開始押釦スイッチ１０１ｇを構成している。
【００３４】
この他、表示パネル１０１上に凹凸を形成するための手段として、タッチパネル内面に電解質を充填するとともに、電気的な経路を形成し、電圧の印加によって電解質が泳動による密度の変化を生じさせることにより表示パネル１０１上に凹凸を形成するよう構成してもよい。
【００３５】
このように、タッチパネルに表示される表示部分で使用者の操作を受ける場合と比較して、タッチパネル表面に凹凸を出現又は消失させることにより形成される物理的な押釦を用いて使用者の操作を受けるから、タッチパネルに誤って接触することによってタッチパネルが反応してしまい測定が開始されることがなく、タッチパネル上に形成された凹凸のある押釦スイッチを押圧したときにのみ確実に測定を開始することができる。
【符号の説明】
【００３６】
１      可搬型の測定機器
１００  本体
１０１  表示パネル
１０２  測定開始押釦スイッチ
１０３  接続端子
２０１  緩衝部材
２０２  緩衝部材
【図１】
2017068716.tif 000003
【図２】
2017068716.tif 000004
【図３】
2017068716.tif 000005
【図４】
2017068716.tif 000006
【図５】
2017068716.tif 000007